(57)【要約】      （修正有）【課題】技術の発展に伴い種々の情報を取得する技術が提供されているが、取得された情報が活用される場面は未だに十分とは言えないという問題があり、取得された情報を用いて利便性を向上させること。【解決手段】制御に用いられる情報を取得する情報取得部と、情報取得部によって取得された情報が所定の条件を満たした場合に、満たされた条件に対応する制御内容を、制御対象となる設備に対して実行する制御部を備える制御システム。【選択図】図１
2014191435.tif 000002
【特許請求の範囲】
【請求項１】
制御に用いられる情報を取得する情報取得部と、
前記情報取得部によって取得された前記情報が所定の条件を満たした場合に、満たされた前記条件に対応する制御内容を、制御対象となる設備に対して実行する制御部と、
を備える制御システム。
【請求項２】
前記情報は、電気湯沸かし器内の水の温度及び残量であり、
前記制御部は、前記温度及び残量に応じて前記電気湯沸かし器の動作を制御する、請求項１に記載の制御システム。
【請求項３】
前記制御対象となる設備は建物に設置された遮光具であり、
前記情報は、前記建物周辺の日射量であり、
前記制御部は、前記建物周辺の日射量に応じて、前記建物において室外から侵入する日射量又は室内から室外へ出る光量を調整する、請求項１に記載の制御システム。
【請求項４】
前記制御対象となる設備は建物に設置された遮光具であり、
前記情報は、前記建物のある地域の日没時刻であり、
前記制御部は、前記日没時刻に応じて、前記建物において室内から室外へ出る光量を調整する、請求項１に記載の制御システム。
【請求項５】
制御に用いられる情報を取得する情報取得ステップと、
前記情報取得ステップにおいて取得された前記情報が所定の条件を満たした場合に、満たされた前記条件に対応する制御内容を、制御対象となる設備に対して実行する制御ステップと、
を有する制御方法。
【請求項６】
制御に用いられる情報を取得する情報取得ステップと、
前記情報取得ステップにおいて取得された前記情報が所定の条件を満たした場合に、満たされた前記条件に対応する制御内容を、制御対象となる設備に対して実行する制御ステップと、
をコンピュータに実行させるためのコンピュータプログラム。
【発明の詳細な説明】
【技術分野】
【０００１】
本発明は、取得された情報に応じて制御を行う技術に関する。
【背景技術】
【０００２】
従来、技術の発展に伴い種々の情報を取得する技術が提供されている。例えば、傾きを検出するセンサー、温度を検出するセンサー、湿度を検出するセンサー等のセンサーがある。他の例として、地域や宅内の電力需要に関する情報を取得するシステムや、天候に関する情報を取得するシステムなどがある。
これらの技術を用いることによって取得された情報は、様々な場面で活用されている。例えば、周囲温度、光、音および地理的位置を知覚できるセンサーによって収集したデータを使用して、知覚された状態に相関性があるテーマを選択する技術が提案されている（特許文献１参照）。
【先行技術文献】
【特許文献】
【０００３】
【特許文献１】特開２０１３−０３７６９９号公報
【発明の概要】
【発明が解決しようとする課題】
【０００４】
しかしながら、取得された情報が活用される場面は未だに十分とは言えないという問題があった。
上記事情に鑑み、本発明は、取得された情報を用いて利便性を向上させる技術の提供を目的としている。
【課題を解決するための手段】
【０００５】
本発明の一態様は、制御に用いられる情報を取得する情報取得部と、前記情報取得部によって取得された前記情報が所定の条件を満たした場合に、満たされた前記条件に対応する制御内容を、制御対象となる設備に対して実行する制御部と、を備える制御システムである。
【０００６】
本発明の一態様は、上記の制御システムであって、前記情報は、電気湯沸かし器内の水の温度及び残量であり、前記制御部は、前記温度及び残量に応じて前記電気湯沸かし器の動作を制御する。
【０００７】
本発明の一態様は、上記の制御システムであって、前記制御対象となる設備は建物に設置された遮光具であり、前記情報は、前記建物周辺の日射量であり、前記制御部は、前記建物周辺の日射量に応じて、前記建物において室外から侵入する日射量又は室内から室外へ出る光量を調整する。
【０００８】
本発明の一態様は、上記の制御システムであって、前記制御対象となる設備は建物に設置された遮光具であり、前記情報は、前記建物のある地域の日没時刻であり、前記制御部は、前記日没時刻に応じて、前記建物において室内から室外へ出る光量を調整する。
【０００９】
本発明の一態様は、制御に用いられる情報を取得する情報取得ステップと、前記情報取得ステップにおいて取得された前記情報が所定の条件を満たした場合に、満たされた前記条件に対応する制御内容を、制御対象となる設備に対して実行する制御ステップと、を有する制御方法である。
【００１０】
本発明の一態様は、制御に用いられる情報を取得する情報取得ステップと、前記情報取得ステップにおいて取得された前記情報が所定の条件を満たした場合に、満たされた前記条件に対応する制御内容を、制御対象となる設備に対して実行する制御ステップと、をコンピュータに実行させるためのコンピュータプログラムである。
【発明の効果】
【００１１】
本発明により、取得された情報を用いて利便性を向上させることが可能となる。
【図面の簡単な説明】
【００１２】
【図１】制御システム１００のシステム構成を表すシステム構成図である。
【図２】制御システム１００の動作の流れを示すフローチャートの具体例である。
【図３】制御システム１００の第一実施形態（制御システム１００ａ）の機能構成を表す概略ブロック図である。
【図４】第一実施形態における制御情報テーブルの具体例を示す図である。
【図５】制御システム１００の第二実施形態（制御システム１００ｂ）の機能構成を表す概略ブロック図である。
【図６】第二実施形態における制御情報テーブルの具体例を示す図である。
【図７】制御システム１００の第三実施形態（制御システム１００ｃ）の機能構成を表す概略ブロック図である。
【図８】第三実施形態における制御情報テーブルの具体例を示す図である。
【発明を実施するための形態】
【００１３】
［概略］
図１は、制御システム１００のシステム構成を表すシステム構成図である。制御システム１００は、情報取得部１１、制御情報記憶部１２、制御部１３及び制御対象２０を備える。
情報取得部１１は、所定の情報を取得する。情報取得部１１は、例えばセンサーを備えることによって、センサーによって検出された情報を取得しても良い。情報取得部１１は、他の装置によって取得された情報を、ネットワークを介して取得しても良い。情報取得部１１は、他の装置と通信を行う事によって情報を取得しても良い。
【００１４】
情報取得部１１は、例えばセンサーそのものであっても良いし、センサーや通信機能を備えた端末装置であっても良い。端末装置の具体例として、携帯電話機、スマートフォン、タブレット、ノート型パソコン、腕時計等の装着型端末、ゲーム機器、家電機器などがある。
【００１５】
情報取得部１１のより具体的な例を以下に列挙する。情報取得部１１は、温度センサーを備え、周囲又は対象物体（例えば水）の温度を取得する。情報取得部１１は、例えば水位センサーを備え、所定の容器（例えば湯沸かし器）内の水の量を取得する。情報取得部１１は、照度センサーを備え、周囲の照度を取得する。情報取得部１１は、クロックを備え、日時や現在時刻を取得する。情報取得部１１は、ネットワークを介して情報提供サーバと通信することによって、暦に関する情報（例えば日没の時刻）を取得する。情報取得部１１は、ＧＰＳ（グローバル・ポジショニング・システム：Global Positioning System）衛星と通信することによって、現在位置情報を取得する。
なお、情報取得部１１の構成は、上述した具体例に限定されない。
【００１６】
制御情報記憶部１２は、磁気ハードディスク装置や半導体記憶装置などの記憶装置を用いて構成される。制御情報記憶部１２は、制御情報テーブルを記憶する。制御情報テーブルは、情報取得部１１によって取得される情報に関する条件と、その条件が満たされた場合に実行される制御の内容とが対応付けられたテーブルである。
【００１７】
制御部１３は、制御情報記憶部１２に記憶される制御情報テーブルを参照し、情報取得部１１によって取得された情報に基づいて、満たされた条件が存在するか否か判定する。制御部１３は、満たされた条件が存在しない場合制御を実行しない。一方、満たされた条件が存在する場合、制御部１３は、満たされた条件に対応付けられた制御の内容を実行する。なお、制御対象２０のユーザによって制御対象２０の設定や動作内容が変更されたりオン・オフが変更された場合は、ユーザによる設定が優先される。
【００１８】
制御部１３は、例えばバスで接続されたＣＰＵ（Central Processing Unit）やメモリや補助記憶装置などを備え、制御プログラムを実行することによって機能する。なお、制御部１３は、ＡＳＩＣ（Application Specific Integrated Circuit）やＰＬＤ（Programmable Logic Device）やＦＰＧＡ（Field Programmable Gate Array）等のハードウェアを用いて実現されても良い。制御プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスクや半導体記憶装置（例えばＳＳＤ：Solid State Drive、フラッシュメモリ）等の記憶装置である。制御プログラムは、電気通信回線を介して提供されても良い。
制御対象２０は、制御部１３によって制御される対象の装置やシステムである。
【００１９】
制御システム１００の具体的な構成は、どのような態様で実現されても良い。例えば、情報取得部１１と制御情報記憶部１２と制御部１３とが一体の装置として構成されても良い。また、制御情報記憶部１２と制御部１３とがそれぞれ異なる装置として構成されても良い。また、制御情報記憶部１２と制御部１３とは、ネットワーク上のサーバによってクラウドとして実装されても良い。また、制御対象２０と制御部１３とが一体の装置として構成されても良い。また、制御対象２０と制御情報記憶部１２と制御部１３とが一体の装置として構成されても良い。また、制御部１３が、その機能に応じて複数の装置として構成されても良い。また、制御情報記憶部１２が、記憶するテーブル毎に異なる装置として構成されても良い。また、情報取得部１１は複数備えられても良い。また、制御部１３には複数の制御対象２０が接続されても良い。制御システム１００は、制御対象２０を制御可能であれば、他のどのような構成によって実現されても良い。
【００２０】
図２は、制御システム１００の動作の流れを示すフローチャートの具体例である。まず、情報取得部１１が所定の情報を取得する（ステップＳ１０１）。次に、制御部１３が、制御情報記憶部１２に記憶される制御情報テーブルを参照し、情報取得部１１によって取得された情報に基づいて、満たされた条件が存在するか否か判定する（ステップＳ１０２）。満たされた条件が存在しない場合（ステップＳ１０２−ＮＯ）、制御部１３は特に処理を行わず、ステップＳ１０１の処理に戻る。
【００２１】
一方、満たされた条件が存在する場合（ステップＳ１０２−ＹＥＳ）、制御部１３は、満たされた条件に対応付けられた制御の内容を取得する。制御部１３は、取得された制御の内容を実行するか否か判定する（ステップＳ１０３）。この判定は種々の観点から行われる。例えば、制御部１３は、取得された制御の内容が実行中である場合又は既に制御後の状態となっている場合には、実行しないと判定する。具体例を挙げて制御部１３のステップＳ１０３の処理について説明する。例えば、制御の内容が“ルーバーを閉める”であり、ルーバーを閉めるための動作が行われている最中である場合には、制御部１３は制御を実行しないと判定する。また、制御の内容が“ルーバーを閉める”であり、既にルーバーが閉まっている場合には、制御部１３は制御を実行しないと判定する。
【００２２】
制御部１３は、取得された制御の内容を実行しないと判定した場合（ステップＳ１０３−ＮＯ）、特に処理を行わず、ステップＳ１０１の処理に戻る。一方、取得された制御の内容を実行すると判定した場合（ステップＳ１０３−ＹＥＳ）、制御部１３は、取得された制御の内容を実行する（ステップＳ１０４）。そして、ステップＳ１０１の処理に戻る。
以下、本発明の一実施形態である制御システム１００の複数の具体例について詳細に説明する。
【００２３】
［第一実施形態］
図３は、制御システム１００の第一実施形態（制御システム１００ａ）の機能構成を表す概略ブロック図である。
制御システム１００ａは、情報取得部１１の具体例として残量取得部１１ａ−１及び水温取得部１１ａ−２を備え、制御対象２０の具体例として電気湯沸かし器２０ａ−１を備える。
【００２４】
残量取得部１１ａ−１は、制御対象となっている電気湯沸かし器２０ａ−１内の水（お湯）の残量（以下、単に「残量」という。）を取得する。残量取得部１１ａ−１は、例えば電気湯沸かし器２０ａ−１の貯水タンクに設置された水位センサーであっても良い。水位センサーは、例えば貯水タンク内の水量に応じて変化する水圧を検出することによって残量を取得する。残量取得部１１ａ−１は、貯水タンクに設置された水位センサーから通信によって残量を取得する装置であっても良い。残量取得部１１ａ−１の構成は上述した構成に限定される必要は無い。
【００２５】
水温取得部１１ａ−２は、制御対象となっている電気湯沸かし器２０ａ−１内の水（お湯）の温度（以下、「水温」という。）を取得する。水温取得部１１ａ−２は、例えば電気湯沸かし器２０ａ−１の貯水タンク内に設置された温度センサーであっても良い。水温取得部１１ａ−２は、貯水タンク内に設置された温度センサーから通信によって水温を取得する装置であっても良い。水温取得部１１ａ−２の構成は上述した構成に限定される必要は無い。
【００２６】
電気湯沸かし器２０ａ−１は、例えば電気ポット、電気ケトル、電気給湯器などの装置である。電気湯沸かし器２０ａ−１は、貯水タンクを備える。電気湯沸かし器２０ａ−１は、電気によって貯水タンク内の水を加熱し、設定された温度（例えば９０度、９５度）に水温を維持する。
電気湯沸かし器２０ａ−１の動作には例えば加熱動作と保温動作とがある。加熱動作では、電気湯沸かし器２０ａ−１は、貯水タンク内の水に対して加熱を行うことによって水温を上昇させる。一方、保温動作では、電気湯沸かし器２０ａ−１は、貯水タンク内の水に対して加熱動作よりも低い消費電力で加熱を行うことによって、水温の低下を緩やかにする。
【００２７】
制御部１３ａは、残量取得部１１ａ−１によって取得された残量と、水温取得部１１ａ−２によって取得された水温と、に応じた制御情報を制御情報テーブルから取得する。制御部１３ａは、取得された制御情報に応じた制御を、電気湯沸かし器２０ａ−１に対して実行する。
【００２８】
図４は、第一実施形態における制御情報テーブルの具体例を示す図である。制御情報記憶部１２ａによって記憶される制御情報テーブルには、複数のレコード９０ａが登録されている。レコード９０ａは、温度条件、残量条件及び制御情報の値を有する。温度条件は、水温に関する条件である。残量条件は、残量に関する条件である。制御情報は、電気湯沸かし器２０ａ−１に対する制御内容を表す。
【００２９】
電気湯沸かし器２０ａ−１に対する制御の具体例について説明する。例えば、水温が所定の温度（例えば９０度）未満であって、残量が所定量（例えば２０リットル）以上である場合には、制御部１３ａは加熱動作を行うように電気湯沸かし器２０ａ−１を制御する。例えば、水温が所定の温度（例えば９０度）未満であって、残量が所定量（例えば２０リットル）未満である場合には、制御部１３ａは保温動作を行うように電気湯沸かし器２０ａ−１を制御する。例えば、水温が所定の温度（例えば９０度）以上であって、残量が所定量（例えば２０リットル）未満である場合には、制御部１３ａは電気湯沸かし器２０ａ−１の電源をオフにする。
【００３０】
このように構成された制御システム１００ａでは、水温及び残量に応じて、電気湯沸かし器２０ａ−１が制御される。そのため、電気湯沸かし器２０ａ−１によって不必要に電力が消費されてしまうことを抑止できる。
また、このように構成された制御システム１００ａでは、水温が高く残量が少ない場合には、電気湯沸かし器２０ａ−１の電源がオフになる。そのため、過剰な加熱動作による電気湯沸かし器２０ａ−１の故障や火災の発生を抑止することが可能となる。
【００３１】
＜変形例＞
水温及び残量に加えてさらに他の条件にも基づいて制御内容が決定されても良い。例えば、地震の発生の有無という条件がさらに与えられても良い。
残量取得部１１ａ−１、水温取得部１１ａ−２、制御情報記憶部１２ａ及び制御部１３ａは、電気湯沸かし器２０ａ−１に設けられても良いし、電気湯沸かし器２０ａ−１が設置された建物を制御するシステムの一部として設けられても良いし、他の態様で実現されても良い。
制御対象は電気以外の発熱手段（例えばガス）により加熱または保温を行う機器でもよい。
【００３２】
［第二実施形態］
図５は、制御システム１００の第二実施形態（制御システム１００ｂ）の機能構成を表す概略ブロック図である。
制御システム１００ｂは、情報取得部１１の具体例として日射量取得部１１ｂ−１を備え、制御対象２０の具体例として遮光制御システム２０ｂ−１を備える。本実施形態において、遮光制御システム２０ｂ−１が設置された建物を制御対象建物という。
【００３３】
日射量取得部１１ｂ−１は、日射量を取得する。日射量取得部１１ｂ−１は、日射量を提供するサーバと通信することによって日射量を取得しても良い。日射量取得部１１ｂ−１は、室外又は室内に設置された日射量センサーから通信によって日射量を取得する装置であっても良い。日射量取得部１１ｂ−１は、制御対象建物の西側の日射量と、他の方角（例えば東方向、北方向、南方向）における日射量とを区別して取得する。
遮光制御システム２０ｂ−１は、制御対象建物に設けられた遮光具（ブラインド、カーテン、ルーバー、調光窓など）の開閉動作を制御するシステムである。遮光制御システム２０ｂ−１は、制御部１３ｂによる制御にしたがって、制御対象建物に設けられた各遮光具を制御し、室内に入る外光の量や室内から外に出る光の量を調整する。なお、調光窓とは、透明状態と不透明状態とで遷移可能な調光ガラスで構成された窓である。
【００３４】
制御部１３ｂは、日射量取得部１１ｂ−１によって取得された日射量に応じた制御情報を制御情報テーブルから取得する。制御部１３ｂは、取得された制御情報に応じた制御を、遮光制御システム２０ｂ−１に対して実行する。
【００３５】
図６は、第二実施形態における制御情報テーブルの具体例を示す図である。制御情報記憶部１２ｂによって記憶される制御情報テーブルには、複数のレコード９０ｂが登録されている。レコード９０ｂは、日射量条件、領域条件及び制御情報の値を有する。日射量条件は、日射量に関する条件である。領域条件は、日射量が取得される領域に関する条件である。領域条件は、例えば制御対象建物の方角によって表されても良い。
【００３６】
遮光制御システム２０ｂ−１に対する制御の内容は、実行される遮光の内容を示す。例えば、ルーバーを上げる動作や下ろす動作が制御情報として定義されても良い。例えば、制御対象建物に設置された調光窓を透明化させる動作や不透明化させる動作が制御情報として定義されても良い。遮光制御システム２０ｂ−１は、遮光の程度に応じて複数段階で制御されても良い。
【００３７】
遮光制御システム２０ｂ−１に対する制御の具体例について説明する。例えば、西側の領域における日射量が所定値（例えばＬ１）以上である場合には、制御部１３ｂは西側の遮光具によって遮光が行われるように制御する。図６の例では、制御部１３ｂは、西側の窓に設置されているルーバーを下ろす制御を行う。例えば、各方角における日射量の統計値（例えば平均値、合計値など）が所定値（例えばＬ２）未満である場合には、制御部１３ｂは、室内が外から見えなくなるように遮光を行う。図６の例では、制御部１３ｂは、制御対象建物に設置された全ての調光窓を不透明化させる。他の例として、制御部１３ｂは、通路に面した側の調光窓を不透明化させても良い。なお、各条件における所定値（例えばＬ１とＬ２）はそれぞれ同じ値であっても良いし異なる値であっても良い。
【００３８】
このように構成された制御システム１００ｂでは、制御対象建物の所定の領域（所定の方角）における日射量に応じて、制御対象建物における遮光制御システム２０ｂ−１が制御される。そのため、日射量の多少に伴い生じる弊害を抑止することが可能となる。例えば、西側の日射量が所定値を越えた場合には西側の遮光具によって遮光が行われるため、一般的に室内の温度や明るさに弊害を生じさせるおそれのある西日を遮る事が可能となる。また、日射量が所定値未満となった場合には遮光が行われるため、外が暗くなることによって室内が外から見えてしまうことを抑止することが可能となる。
【００３９】
＜変形例＞
日射量条件及び領域条件に加えてさらに他の条件にも基づいて制御内容が決定されても良い。例えば、天候という条件がさらに与えられても良い。
【００４０】
［第三実施形態］
図７は、制御システム１００の第三実施形態（制御システム１００ｃ）の機能構成を表す概略ブロック図である。
制御システム１００ｃは、情報取得部１１の具体例として時刻取得部１１ｃ−１及び日没時刻取得部１１ｃ−２を備え、制御対象２０の具体例として遮光制御システム２０ｃ−１を備える。本実施形態において、遮光制御システム２０ｃ−１が設置された建物を制御対象建物という。
【００４１】
時刻取得部１１ｃ−１は、現在時刻を取得する。時刻取得部１１ｃ−１は、クロックを備え、クロックから出力される信号に基づいて現在時刻を取得しても良い。時刻取得部１１ｃ−１は、外部装置から時刻を表す信号を受信することによって現在時刻を取得しても良い。
【００４２】
日没時刻取得部１１ｃ−２は、その日の日没時刻を取得する。取得される日没時刻の値は、推測値であっても良いし、実際に日没した時刻の実測値であっても良い。日没時刻取得部１１ｃ−２は、日没時刻を提供するサーバと通信することによって日没時刻を取得しても良い。日没時刻取得部１１ｃ−２は、予め日付と対応付けて設定された日没時刻を記憶装置から読み出すことによって日没時刻を取得しても良い。
【００４３】
遮光制御システム２０ｃ−１は、制御対象建物に設けられた遮光具（ブラインド、カーテン、ルーバー、調光窓など）の開閉動作を制御するシステムである。遮光制御システム２０ｃ−１は、制御部１３ｃによる制御にしたがって、制御対象建物に設けられた各遮光具を制御し、室内に入る外光の量や室内から外に出る光の量を調整する。なお、調光窓とは、透明状態と不透明状態とで遷移可能な調光ガラスで構成された窓である。
【００４４】
制御部１３ｃは、時刻取得部１１ｃ−１によって取得された時刻及び日没時刻取得部１１ｃ−２によって取得された日没時刻に応じた制御情報を制御情報テーブルから取得する。制御部１３ｃは、取得された制御情報に応じた制御を、遮光制御システム２０ｃ−１に対して実行する。
【００４５】
図８は、第三実施形態における制御情報テーブルの具体例を示す図である。制御情報記憶部１２ｃによって記憶される制御情報テーブルには、複数のレコード９０ｃが登録されている。レコード９０ｃは、時刻条件及び制御情報の値を有する。時刻条件は、時刻取得部１１ｃ−１によって取得された時刻が、日没時刻取得部１１ｃ−２によって取得された日没時刻前であるか否かを示す条件である。
【００４６】
遮光制御システム２０ｃ−１に対する制御の内容は、実行される遮光の内容を示す。例えば、ルーバーを上げる動作や下ろす動作が制御情報として定義されても良い。例えば、制御対象建物に設置された調光窓を透明化させる動作や不透明化させる動作が制御情報として定義されても良い。遮光制御システム２０ｃ−１は、遮光の程度に応じて複数段階で制御されても良い。
【００４７】
遮光制御システム２０ｃ−１に対する制御の具体例について説明する。例えば、時刻取得部１１ｃ−１によって取得された時刻が日没時刻取得部１１ｃ−２によって取得された日没時刻よりも前である場合には、制御部１３ｃは遮光制御システム２０ｃ−１に対して特に制御を行わない。一方、時刻取得部１１ｃ−１によって取得された時刻が日没時刻取得部１１ｃ−２によって取得された日没時刻と同じ又は後である場合には、制御部１３ｃは、遮光具によって遮光が行われるように制御する。図８の例では、制御部１３ｃは、制御対象建物に設置された全ての調光窓を不透明化させる。他の例として、制御部１３ｃは、通路に面した側の調光窓を不透明化させても良い。
【００４８】
このように構成された制御システム１００ｃでは、現在時刻が日没時刻よりも前であるか後であるかに応じて、制御対象建物における遮光制御システム２０ｃ−１が制御される。そのため、日没時刻後に生じる問題を抑止することが可能となる。例えば、日没時刻後には日射量が少なくなり室内の方が明るくなるため、外から室内が見えやすくなってしまう。このような問題に対し、制御システム１００ｃでは、日没時刻後には遮光が行われるため、室内が外から見えてしまうことを抑止することが可能となる。
【００４９】
＜変形例＞
時刻条件に加えてさらに他の条件にも基づいて制御内容が決定されても良い。例えば、天候という条件がさらに与えられても良い。
日没時刻取得部１１ｃ−２は、制御対象建物が建てられている位置情報を取得し、取得した位置情報における日没時刻を取得しても良い。例えば日没時刻取得部１１ｃ−２は以下のように構成される。
【００５０】
日没時刻取得部１１ｃ−２は、ＧＰＳ（Global Positioning System）等の位置情報取得機能を備える。日没時刻取得部１１ｃ−２は、取得した自装置の位置を含む日没時刻要求データを、日没時刻を提供するサーバ（以下、「日没時刻提供サーバ」という。）に対して送信する。日没時刻提供サーバは、受信された要求データに含まれる位置と、日没時刻要求を受信した日付と、に基づいて日没時刻テーブルを検索する。日没時刻テーブルには、日付及び位置と日没時刻とが対応付けられている。日没時刻取得部１１ｃ−２は、日没時刻テーブルの検索結果として日没時刻を取得する。日没時刻提供サーバは、要求元の日没時刻取得部１１ｃ−２に対し、日没時刻を含む応答データを送信する。日没時刻取得部１１ｃ−２は、受信した応答データから日没時刻を抽出することによって日没時刻を取得する。ただし、このような構成は、日没時刻取得部１１ｃ−２が設置された場所が、制御対象建物が建てられている位置と同じであることが条件となる。
このように構成されることにより、より正確な日没時刻を取得することが可能となる。
以上、この発明の実施形態について図面を参照して詳述してきたが、具体的な構成はこの実施形態に限られるものではなく、この発明の要旨を逸脱しない範囲の設計等も含まれる。
【符号の説明】
【００５１】
１００…制御システム，  １１…情報取得部，  １２，１２ａ，１２ｂ，１２ｃ…制御情報記憶部，  １３，１３ａ，１３ｂ，１３ｃ…制御部，  ２０…制御対象，  １１ａ−１…残量取得部，  １１ａ−２…水温取得部，  １１ｂ−１…日射量取得部，  １１ｃ−１…時刻取得部，  １１ｃ−２…日没時刻取得部，  ２０ａ−１…電気湯沸かし器，  ２０ｂ−１，２０ｃ−１…遮光制御システム
【図１】
2014191435.tif 000003
【図２】
2014191435.tif 000004
【図３】
2014191435.tif 000005
【図４】
2014191435.tif 000006
【図５】
2014191435.tif 000007
【図６】
2014191435.tif 000008
【図７】
2014191435.tif 000009
【図８】
2014191435.tif 000010